(57)【要約】［課  題］小型で持ち運びが簡便な手掌のできるだけ多くのつぼを最大限度で刺激する、ダイエット健康促進の作用を発揮、いつでもどこでもトレーニングを励まれる手掌全面つぼ刺激器を提供する。［解決手段］各種形状、各種硬度多数突起を設けたつぼ刺激器。（ア）突起面の中心部分（ａ１）は手掌と合わせ、少し高くするつぼ刺激器。（イ）立ち柱（ｂ）、（ｃ）自在に伸縮することができるつぼ刺激器。（ウ）両側面（ａ）は天然ゴム又は合成ゴム又は類似の弾性物質で作成するつぼ刺激器。（エ）上記多数突起は形状不同、高低不同、大小不同のつぼ刺激器。（オ）練習動作が正確の時にランプ（ｅ）を点灯するつぼ刺激器。（ロ）立ち柱（ｂ）、（ｃ）下端の容器（ｄ）に水を注入、倒れ防止と携帯時重量を軽減する、容器の底部に滑り止め材料付きのつぼ刺激器。【選択図】  図１
2004188132.tif 000002
【特許請求の範囲】
【請求項１】
本発明両側面は多数の突起が外に向き、対称粘着立ち柱上端の円形固定体に。（１）、両側面の材料は天然ゴム又は合成ゴム又は類似の弾性物質。（２）、両側面は軟硬度不同、中心部分は手掌に合わせ少し高くする。（３）、突起は形状不同、高低不同、大小不同の手掌全面つぼ刺激器。
【請求項２】
本発明はトレーニング中、動作が正しい時にランプを点灯する請求項１記載の手掌全面つぼ刺激器。
【請求項３】
立ち柱下端の容器内に水を注入でき、倒れ防止と携帯時軽くなることが両方に働く、容器の底部に滑り止め材料付き請求項１記載の手掌全面つぼ刺激器。
【発明の詳細な説明】
【０００１】
［発明の属する技術分野］本発明は、手掌面のつぼを全面的に刺激して、身体あらゆる器官の新陳代謝を加速し、血液流動を暢通の効果に求め、人体の最もよい状態に回復する等に用いる健康器具に関する。
【０００２】
［従来の技術］従来から、ダイエットするためにダイエット薬、ダイエッ
2004188132.tif 000003
す、死に至ることも公表されています。大型器具といえば、値段は高い、時間と場所も制限され、目的達成は大変難しい。小型器具の場合、個別のつぼ刺激しかできないから、全身の新陳代謝と血液循環に関わらない上、範囲が狭いから、効果も少ない。
【０００３】
［発明が解決しようとする課題］しかしながら、前記従来の器具は、大型のものは特定の場所しか使用できない（スぽーツセンターとか）、小型で従来型の器具は取り扱いが簡便であるが、使用目的の範囲が狭いため、明白の効果は見あたらない、従ってあまり使う人が多くないです。私も十数年前から探し続けていて、お金もたくさん使った。しかし、使用した物はほとんど効果なし、体がどんどん太くなって、いろいろな病気にもかかってきた、もはや絶望の状態に陥っていた。
【０００４】偶然の機会で、手のつぼを刺激する本を読んで。手は身体内臓と密接の関係がある、内臓の温度計にも呼ばられています。同時、手又は感覚器官でもある、豊富の感覚神経を持つ、適切な手のつぼを刺激すれば、各器官系統功能の活動を調節と改善もできます。
【０００５】そして、手のつぼ図を見て考えた。いままでの方法は、大体個別のつぼだけ刺激する、しかも自分ではあまりできないので、ほぼ知識のある者にやってもらうことになる。こんな不便利なことで、効果も明白じゃないから、当然やりたい人が限られます。もし自ら簡単にでき、更に手掌のつぼ群全部刺激すれば、もっと抜群の効果が出るのではないかと考えた。人は本来、動物とおなじ足が四本だった、進化につれ、足と手だんだん別々の功能をもちました。このような環境で、十本の指は細長く、円滑になって、手に対する刺激も少なくなった。しかし、一つ重大の問題が発生しました。考えてみましょうか、もし現代の人間が足に変わって、手で走るなら誰にも我慢できないだろう――刺激が強すぎるのだからだ。現代の人間は昔と比べて、体質がはるかに弱い、これは手が重要な役割が果たしていないの原因です。もしこの状態続けるなら、人類の衰退、そして滅亡も想像に難しくないだろう。
【０００６】よって本発明は、手掌面のつぼに対して、強い刺激を与えて、血液の循環、新陳代謝の加速、体内廃棄物の排出、病気を治療、予防する抜群の効果を発揮できる。同時に、身体の各器官の活動を最適状態で調節と改善され、体質の増強、脳力の活発、若返り等驚く力を持っております。特に、健康の状態に回復すると同時に、ダイエット効果もはっきり見られます。
【０００７】本発明は、効果絶大の割りに、器具は小型で、製造簡単、単価安いのが特性です、それは、本手掌全面つぼ刺激器の目的であります。
【０００８】
［課題を解決するための手段］請求項１の発明は、両手掌同時に強く拍撃し、大量突起に有する面（ａ）、手掌部のあらゆるのつぼは刺激される。大量の文献表明、人間の手と脳は、１００万本以上の神経で密接に結びついています、手は触覚通して、外界物体の形状、特性、温度、湿度のことが感覚でき。これは、手の神経は多いことを物語っている、身体ほかの部分との大きいが違いの証明です。手を刺激することは、体全体を刺激する意味と同じ、全身の新陳代謝を加速、必要のない脂肪などの廃物を排出でき、血液循環暢通の結果、人体
2004188132.tif 000004
【０００９】上記の目的を達成するために本発明に係る請求項１の発明は、両側面（ａ）の突起は外に向き、対称粘着立て柱（ｂ）上端の固定体（ｂ１）に、前記両側面中心の部分（ａ１）は少し高い、手掌面の形状に合わせる請求項１記載の手掌全面つぼ刺激器。
【００１０】請求項１の発明は、前記両側面の材料は天然ゴム又は合成ゴム又は類似の弾性物質で軟硬度不同、突起の大小不同、形状不同、高低不同。人によってより効果を引き出すの手掌全面つぼ刺激器。
【００１１】請求項２の発明は、本手掌全面つぼ刺激器を使用、トレーニング時に正確な動作を示すランプ（ｅ）を設置、自身でチェックできることが、更に趣味を増加し、器具の功能が最大限度に発揮する手掌全面つぼ刺激器である。
【００１２】
［発明の効果］以上述べたように本発明の手掌全面つぼ刺激器は、手掌部主動的に突起をたたく、全身の運動になる、力の反射で手掌が全面刺激。滞っている生体エネルギーや血液の循環を促進し、自然治癒力は高められます。身体の変調を整え、病気の予防をでき、難病の康復にもすばらしい役割を果たす。更に腹部の深呼吸と合わせ、全身のダイエットはひとつの運動過程中達成。
【００１３】私自ら数ヶ月トレーニングの結果、体重は２０キロも減って、自分も信じられないほど体型は大きく変わりました。そして、風邪は全然引かない、長年悩みの便秘が解消し、失眠状態もなくなった、いつもある歯の痛みも治った、頭髪どんどん黒色になり、量も増えた。もっといいのことは、朝１回練習して、全身がすっきりして、１日中生き生きし、何をやっても気持ちが良く、仕事の効率も高められる。夜１回練習して、よく眠れて、変な夢を見なくなった。この器具を使うと、食事の制限しなくても、うまくダイエットができます、もちろん若い女性の福音です。ただし食べ過ぎないことを頭に入れておくこと。このトレーニング方法を家族と親戚の人に教えて、その人達にもはっきりの効果がみられました、どなたにも有効的に利用できると確信しました。
【００１４】いまや世界中に健康上の悩みを持っているの方々が何億人もいます、医療費の負担は非常に重くなっており、医療保険も破綻寸前の危機が迫ってきた、このままにしますと、世界経済の巨大阻害に成りかねない。この問題根本の解決方法は一つしかない、人々が体質の増強、病気の減少。本発明の器具を使用することで、医療費の減少に大きく役に立ちます、精神面も元気を回復し、頭脳の活動を活発させ、体の機能を若返り、新しい創造性のある社会に生まれ変わると望みことができます。
【００１５】上述本発明は、突起は軟硬度不同、高低不同、大小不同、形状不同、人によって選択でき。刺激の重さ、体質の状態、あらゆる面に配慮して、最大の効果を発揮する。
【００１６】更に前記両側突起面の中心部分は少し高く、手掌面の形状に合わせ、手掌が全面刺激を当たる、効果はもっと上向きできる。
【００１７】この器具のもうひとつ特徴は、トレーニング中、方法正確の場合、器具上端に設置するランプを点灯、常時自ら点検でき、飽きることが無くなり、長く続けるように興味を啓発する。
【図面の簡単な説明】
【図１】この手掌全面つぼ刺激器は正面から見るのイメージ図です。
【図２】この手掌全面つぼ刺激器は側面から見るのイメージ図です。
【符号の説明】
ａ．大量突起に有する面                          ｅ．ランプ
ｂ．上立柱                                      ｆ．水注入口
ｃ．下立柱                                      ｇ．電池室
ｄ．水タンク
【図１】
2004188132.tif 000005
【図２】
2004188132.tif 000006